(57)【要約】【課題】ジャムが発生した場合でもユーザが正常な複写物を得ることができ、かつ不正行為の惹起を防止する。【解決手段】画像形成装置１に、画像データＧＤに基づく画像を用紙に形成する画像形成部３４と、形成された画像を用紙に定着させる定着ローラと、用紙搬送系における紙詰まりであるジャムを検出するジャム検出部３１と、ジャムの発生の対象となった用紙の検出を行う定着センサＴＳと、ジャムが検出された場合に、定着センサＴＳによる検出結果に基づいて用紙の先端部が定着ローラによって定着されたか否かを判別することによって、ジャムが発生した用紙に形成されるべき画像を新たな用紙に再度形成するか否かを決定する再印刷決定部３２と、を設ける。【選択図】図３
2009300534.tif 000002
【特許請求の範囲】
【請求項１】
画像データに基づく画像を用紙に形成する画像形成手段と、
前記画像形成手段によって形成された画像を用紙に定着させる定着手段と、
用紙搬送系における紙詰まりであるジャムを検出するジャム検出手段と、
前記ジャムの発生の対象となった用紙の検出を行う用紙検出手段と、
前記ジャム検出手段によって前記ジャムが検出された場合に、前記用紙検出手段による検出結果に基づいて前記用紙の先端部が前記定着手段によって定着されたか否かを判別することによって、前記ジャムが発生した用紙に形成されるべき画像を新たな用紙に再度形成するか否かを決定する決定手段と、
を有することを特徴とする画像形成装置。
【請求項２】
用紙を外部に排出する排出手段を有し、
前記用紙検出手段は、前記排出手段と前記定着手段との間でかつ当該定着手段の近傍に設けられる、
請求項１記載の画像形成装置。
【請求項３】
用紙を外部に排出する排出手段を有し、
前記用紙検出手段は、前記排出手段と前記定着手段との間でかつ当該排出手段の近傍に設けられる、
請求項１記載の画像形成装置。
【請求項４】
所定の固有情報を前記用紙の先端部に形成する固有情報形成手段を有し、
前記決定手段は、
前記用紙の先端部に形成された前記固有情報に係る画像が前記定着手段によって定着されていると判別された場合には、前記ジャムが発生した用紙に形成されるべき画像を新たな用紙に再度形成しないと決定し、
前記用紙の先端部に形成された前記固有情報に係る画像が前記定着手段によって定着されていないと判別された場合には、前記ジャムが発生した用紙に形成されるべき画像を新たな用紙に再度形成すると決定する、
請求項１ないし３のいずれかに記載の画像形成装置。
【請求項５】
前記固有情報を記憶する固有情報記憶手段を有し、
前記決定手段は、前記ジャムが発生した用紙に形成されるべき画像を新たな用紙に再度形成すると決定した場合に、前記用紙の先端部に形成された前記固有情報に対応する、前記固有情報記憶手段に記憶された固有情報を消去する、
請求項１ないし４のいずれかに記載の画像形成装置。
【請求項６】
ユーザを認証する認証手段と、
前記認証手段による認証後、前記ユーザに前記固有情報の入力を要求する情報要求手段と、
前記用紙の先端部に形成された固有情報に基づいて前記ユーザによって入力された固有情報と前記固有情報記憶手段に記憶されている前記固有情報とが一致するか否かを判断する照合手段と、を有し、
前記照合手段は、前記ジャムが発生した用紙に形成されるべき画像を新たな用紙に再度形成しないと前記決定手段によって決定された場合で、かつ、前記固有情報が一致すると判断した場合に、前記ジャムが発生した用紙に形成されるべき画像を新たな用紙に再度形成することを許可する、
請求項５記載の画像形成装置。
【請求項７】
前記固有情報形成手段は、前記ジャムが発生した用紙に形成されるべき画像を新たな用紙に再度形成する場合に、前記固有情報を更新して形成する、
請求項４ないし６のいずれかに記載の画像形成装置。
【請求項８】
前記決定手段によって前記ジャムが発生した用紙に形成されるべき画像を新たな用紙に再度形成すると決定された場合に、当該画像を再度形成することを実行させるか否かを選択することをユーザに要求する選択要求手段を有する、
請求項１ないし７のいずれかに記載の画像形成装置。
【請求項９】
前記固有情報形成手段は、前記用紙の第１印字面の先端部に前記固有情報を形成し、
前記画像形成手段は、前記用紙の第２印字面に前記画像データに基づく画像を形成し、
前記決定手段は、前記第２印字面への前記画像の形成中に前記ジャム検出手段によって前記ジャムが検出された場合に、前記ジャムが発生した用紙に形成されるべき画像を新たな用紙に再度形成しないと決定する、
請求項１ないし８のいずれかに記載の画像形成装置。
【請求項１０】
画像データに基づく画像を用紙に形成する画像形成ステップと、
形成された前記画像を用紙に定着させる定着ステップと、
用紙搬送系における紙詰まりであるジャムを検出するジャム検出ステップと、
前記ジャムの発生の対象となった用紙の検出を行う用紙検出ステップと、
前記ジャムが検出された場合に、前記用紙検出ステップにおける検出結果に基づいて前記用紙の先端部が定着されたか否かを判別することによって、前記ジャムが発生した用紙に形成されるべき画像を新たな用紙に再度形成するか否かを決定する決定ステップと、
を有することを特徴とする画像形成方法。
【発明の詳細な説明】
【技術分野】
【０００１】
本発明は、ＭＦＰ等の画像形成装置および画像形成方法に関する。
【背景技術】
【０００２】
従来、画像形成を行う画像形成装置、例えば、複写機、プリンタ、ファクシミリのほか、複合機またはＭＦＰ（Multi Function Peripherals）と呼称される多機能機等が会社等のオフィス内で使用されている。画像形成装置の性能の向上と並行して付加機能の開発が絶え間なく続けられており、既に様々な付加機能が提案されている。
【０００３】
例えば、画像が形成される用紙の搬送系における紙詰まり（以下、「ジャム」と記載）が発生した場合に、ジャム補正を行う機能を有する画像形成装置が提案されている（特許文献１）。ジャム補正とは、ジャムが発生したことによって画像形成を正常に行うことができなかった画像について、記憶手段に記憶されている画像データを用いて画像を改めて形成する処理である。つまり、ジャム補正は再印刷処理である。
【０００４】
上記のような画像形成装置を用いると、バスの乗車チケット等の各種チケットを作成（発行）することができる。
【０００５】
ここで、ジャムが発生したタイミングによっては、ほぼ利用可能な状態で詰まった用紙（チケット）を取り出すことができる場合がある。この場合、ユーザによってジャムが解消された後にジャム補正が行われると、ユーザはジャム補正前のチケットおよびジャム補正後のチケットの２枚のチケットを得ることが可能となってしまう。例えば、作成したチケットがバスの乗車チケットである場合には、上記２枚のチケットは、同じバスの同じ座席用のチケットであるので、不正行為などの問題が発生することは少ないと考えられる。
【０００６】
しかしながら、ユーザにとって不要であるからという理由等で、上記２枚のチケットのうち片方のチケットが悪意を有するユーザの手に渡ってしまうと、当該悪意を有するユーザによって別の席用のチケットに変造されてしまう場合が考えられる。その結果、バスがただ乗りされたり、変造チケットが転売される可能性がある。
【０００７】
このような課題があるので、紙詰まりを起こした用紙（ある程度の画像が形成された特殊な用紙）およびジャム補正後の用紙の両方がユーザの手に渡ることを防止する必要がある。
【０００８】
そこで、印刷の際にジャムが発生した場合に、用紙が定着器（定着装置）に既に到達しているときにはジャム補正を行わないようにすることができる。この方法を採用すると、上記両方の用紙がユーザの手に渡ることを防止することができる。
【０００９】
一方、用紙の先端が定着器に到達してないときには有効な画像が未だ形成されていない可能性が高いので、悪用される可能性が低い。したがって、この場合にはジャム補正を行う。
【特許文献１】特開２００１−２２２３５号公報
【発明の開示】
【発明が解決しようとする課題】
【００１０】
しかしながら、用紙が定着器に達しているときにジャム補正を行わなかった場合には、ユーザは複写物（チケット等）を取得することはできるが、その複写物に画像が正常に印刷されていない場合等がある。例えば、形成されるべき画像が全て印刷されなかったり、画像が印刷されていても複写物が歪に変形してしまう場合がある。その結果、複写物がチケットである場合には、ユーザにとって金銭的な不利益が生じることがある。
【００１１】
本発明は、このような問題点に鑑み、ジャムが発生した場合でもユーザが正常な複写物を得ることができ、かつ不正行為の惹起を防止することが可能となるようにすることを目的とする。
【課題を解決するための手段】
【００１２】
本発明の一形態に係る画像形成装置は、画像データに基づく画像を用紙に形成する画像形成手段と、前記画像形成手段によって形成された画像を用紙に定着させる定着手段と、用紙搬送系における紙詰まりであるジャムを検出するジャム検出手段と、前記ジャムの発生の対象となった用紙の検出を行う用紙検出手段と、前記ジャム検出手段によって前記ジャムが検出された場合に、前記用紙検出手段による検出結果に基づいて前記用紙の先端部が前記定着手段によって定着されたか否かを判別することによって、前記ジャムが発生した用紙に形成されるべき画像を新たな用紙に再度形成するか否かを決定する決定手段と、を有する。
【００１３】
好ましくは、画像形成装置は、用紙を外部に排出する排出手段を有し、前記用紙検出手段は、前記排出手段と前記定着手段との間でかつ当該定着手段の近傍に設けられる。
【００１４】
または、画像形成装置は、用紙を外部に排出する排出手段を有し、前記用紙検出手段は、前記排出手段と前記定着手段との間でかつ当該排出手段の近傍に設けられる。
【００１５】
または、画像形成装置は、所定の固有情報を前記用紙の先端部に形成する固有情報形成手段を有し、前記決定手段は、前記用紙の先端部に形成された前記固有情報に係る画像が前記定着手段によって定着されていると判別された場合には、前記ジャムが発生した用紙に形成されるべき画像を新たな用紙に再度形成しないと決定し、前記用紙の先端部に形成された前記固有情報に係る画像が前記定着手段によって定着されていないと判別された場合には、前記ジャムが発生した用紙に形成されるべき画像を新たな用紙に再度形成すると決定する。
【発明の効果】
【００１６】
本発明によると、ジャムが発生した場合でもユーザが正常な複写物を得ることができ、かつ不正行為の惹起を防止することが可能となる。
【発明を実施するための最良の形態】
【００１７】
以下では、コピー、スキャナ、ファックス、ネットワークプリンティング、およびドキュメントサーバ等の様々な機能を集約した処理装置であり、複合機またはＭＦＰ（Multi Function Peripherals）等と呼ばれる画像形成装置について説明する。
【００１８】
図１は本発明の一実施形態に係る画像形成装置１の概略の構成の例を示す図、図２は画像形成装置１のハードウェアの構成の例を示す図、図３は画像形成装置１の機能的構成の例を示す図、図４は固有情報を有する複写物の一例であるチケットＴＫの例を示す図、図５は固有情報記憶部３３に記憶される固有情報テーブルＫＪＴの例を示す図である。
【００１９】
画像形成装置１は、タンデム方式の転写部を持ち、イエロー（Ｙ）、マゼンタ（Ｍ）、シアン（Ｃ）、ブラック（Ｋ）の４色のトナーを順次重ね合わせることによってカラー画像を形成するものである。なお、図１においては、イエロー（Ｙ）、マゼンタ（Ｍ）、シアン（Ｃ）、ブラック（Ｋ）に対応した各構成部をそれぞれａ、ｂ、ｃ、ｄで識別している。
【００２０】
画像形成装置１は、図１に示すように、露光装置６による露光によって感光体３上に形成される静電潜像を、現像装置４によって現像し、得られたトナー像を一次転写ローラ（図示せず）によって中間転写ベルト２に転写し、さらに用紙に転写するように構成されている。
【００２１】
すなわち、画像形成装置１には、Ｙ、Ｍ、Ｃ、Ｋの４色のカートリッジ（イメージングユニット）２８が、タンデム配列で配置されており、これらのカートリッジ２８で形成された各色のトナー像（トナー画像）が、中間転写ベルト２上に重ねられて転写され合成される。
【００２２】
各カートリッジ２８は、ドラム形状の感光体３の近傍に、現像装置４、帯電装置５および露光装置６等が配置されて構成されている。感光体３の表面は、帯電装置５によって所定の電圧（帯電電位）Ｖ０に帯電され、露光装置６からの露光によって静電潜像が形成される。この静電潜像は、現像バイアス電圧Ｖｄｃが印加された現像ローラにより、静電潜像の電位と現像バイアス電圧Ｖｄｃとの電位ギャップΔＶに現像ローラから帯電したトナーが供給されることによってトナー像となり、顕像化される。
【００２３】
感光体３の表面に顕像化されたトナー像は、一次転写ローラによって中間転写ベルト２に１次転写される。中間転写ベルト２上のトナー像は、二次転写ローラ１１によって、記録媒体収納部１６からカセット給紙ローラ８により搬送された用紙に２次転写される。なお、カセット給紙ローラ８により搬送された用紙はタイミングローラ１０によって、必要に応じて一旦停止される。また、二次転写ローラ１１の近傍には用紙の除電を行う除電布３０が設けられている。さらに、手差しによって用紙を供給する場合に、当該用紙をタイミングローラ１０へ搬送する手差し給紙ローラ９が設けられている。
【００２４】
用紙上に二次転写されたトナー像は定着ローラ１２ａによって定着される。定着ローラ１２ａに対向し接触するように加圧ローラ１２ｂが設けられている。また、定着ローラ１２ａの近傍には、当該定着ローラ１２ａを通過する用紙を検出する定着センサＴＳが設けられ、定着ローラ１２ａの内部には当該定着ローラ１２ａを加熱する定着ヒータＴＨが設けられている。さらに、上記の定着センサＴＳの下流側には、排出される用紙を検出する排出センサＨＳが設けられている。なお、定着ローラ１２ａの上流側には定着ループセンサ２７が設けられている。
【００２５】
定着後の用紙は、排紙ローラ１３によって排紙トレー上に排出されるか、両面搬送経路２９へ搬送される。両面搬送経路２９は上記のタイミングローラ１０に通じる経路につながっている。両面搬送経路２９には、両面搬送ローラ１４ａ、１４ｂが設けられており、両面搬送モータ２２がこれらの両面搬送ローラ１４ａ、１４ｂを駆動することで、両面搬送経路２９上の用紙がタイミングローラ１０へ搬送される。両面搬送ローラ１４ａの近傍には搬送される用紙の検出を行うＤＵＰセンサＤＳ１が設けられ、両面搬送ローラ１４ｂの近傍には搬送される用紙の検出を行うＤＵＰセンサＤＳ２が設けられている。
【００２６】
２次転写で転写しきれずに中間転写ベルト２上に残留しているトナー（転写残トナー）は、中間転写ベルトクリーナ７によって除去され回収される。つまり、２次転写の後で、中間転写ベルトクリーナ７によって中間転写ベルト２の表面が清掃される。なお、中間転写ベルトクリーナ７として、本実施形態では、中間転写ベルト２に対して圧接と離間との間を移動可能に設けられたクリーニングブレード方式のものを用いるが、これ以外に、中間転写ベルト２に対して印加される電圧がオンオフ制御されるブラシ方式のもの等、種々の方式または機構のものを用いることが可能である。転写残トナーは、廃トナーボックス１５に回収される。
【００２７】
カートリッジ２８の上方には、攪拌羽２６を動作させることでトナーを補給するトナーボトル２５が設けられている。また、攪拌羽２６ａ、２６ｂを動作させるトナー補給モータ２３および攪拌羽２６ｃ、２６ｄを動作させるトナー補給モータ２４が設けられている。
【００２８】
画像形成装置１は、図２に示すように、ＣＰＵ１０ａ、ＲＡＭ１０ｂ、ＲＯＭ１０ｃ、ハードディスク１０ｄ、制御用回路１０ｅ、操作パネル１０ｆ、ＬＡＮインタフェース１０ｇ、印刷装置（エンジン）１０ｈ、スキャナ１０ｉ、およびＦＡＸモデム１０ｊ等によって構成される。
【００２９】
制御用回路１０ｅは、ハードディスク１０ｄ、操作パネル１０ｆ、ＬＡＮインタフェース１０ｇ、印刷装置１０ｈ、スキャナ１０ｉ、およびＦＡＸモデム１０ｊ等を制御するための回路である。
【００３０】
スキャナ１０ｉは、原稿に描かれている文章、数式、記号、写真、図表、またはイラスト等のコンテンツの画像を光学的に読み取って画像データを生成する。
【００３１】
印刷装置１０ｈは、スキャナ１０ｉによって得られた画像データに基づく画像を用紙に印刷する。
【００３２】
ＬＡＮインタフェース１０ｇは、他の画像形成装置等と通信を行うためのＮＩＣ（Network Interface Card）であって、画像形成装置１とハブまたはルータとを接続するために用いられる。
【００３３】
ＦＡＸモデム１０ｊは、他の画像形成装置またはＦＡＸ端末等とファックスプロトコルによる通信を行う装置である。
【００３４】
操作パネル１０ｆは、タッチパネル式の液晶ディスプレイから構成される後述の表示部２１およびテンキー等から構成される図示しない操作部によって構成される。表示部２１には、ユーザに対してメッセージまたは指示を与えるための画面、ユーザが所望する処理の種類および処理条件を入力するための画面、およびＣＰＵ１０ａ等で実行された処理の結果を示す画面等が表示される。
【００３５】
ユーザは、上記の画面を見ながら表示部２１または操作部を操作することによって、画像形成装置１に対して、処理の実行開始または中断等の指令を与え、データの宛先、印刷条件、またはスキャン条件等の処理条件を指定し、その他種々の事項を指定することができる。つまり、操作パネル１０ｆは、画像形成装置１を操作するユーザのためのユーザインタフェースの役割を果たしている。
【００３６】
画像形成装置１は、図３に示すように、主な機能的構成として、再印刷決定部３２、固有情報記憶部３３、固有情報作成部３５、画像データ記憶部３６、および照合部３７を含む。
【００３７】
ジャム検出部３１は、用紙の搬送経路に設けられる複数のセンサによって構成され、当該用紙の検出を行うことによって用紙搬送経路における紙詰まりであるジャムを検出する。画像形成部３４は、画像を形成する各種手段である上述の感光体３、現像装置４、および露光装置６等によって構成される。
【００３８】
上記のＣＰＵ１０ａがＲＡＭ１０ｂまたはＲＯＭ１０ｃに格納されているプログラムを実行することによって、上記の再印刷決定部３２、固有情報記憶部３３、固有情報作成部３５、画像データ記憶部３６、および照合部３７の全部またはその一部が機能的に実現されている。このようなプログラムは、当該プログラムが記録されたＣＤ−ＲＯＭ、ＤＶＤ−ＲＯＭ等の記録媒体ＢＴ１や半導体メモリ等の記録媒体ＢＴ２を含む可搬型の記録媒体ＢＴからインストールすることが可能である。また、ネットワークを介してサーバからプログラムをダウンロードすることも可能である。
【００３９】
また、再印刷決定部３２、固有情報記憶部３３、固有情報作成部３５、画像データ記憶部３６、および照合部３７の全体または一部が、ＡＳＩＣ（Application Specific Integrated Circuit)などとしてＬＳＩ化され、ファームウェアまたはハードウェアによって実現されることもある。
【００４０】
固有情報作成部３５は、図４に示すように、本実施形態に係る画像形成装置１によって得ることができる複写物の一例であるチケット（例えば乗船チケット）ＴＫに形成する文字画像に係る固有情報ＫＪを作成する。
【００４１】
本実施形態において、固有情報ＫＪに係る文字画像は、用紙の搬送方向における所定領域（例えば、用紙の端部から１０ｍｍ程度離れた位置までの領域：以下、「先端部」と称する）に形成される。
【００４２】
作成された固有情報ＫＪは、図５に示すように、固有情報記憶部３３の固有情報テーブルＫＪＴに記憶される。
【００４３】
この固有情報テーブルＫＪＴには、各固有情報ＫＪごとに、当該固有情報ＫＪに係る文字画像や画像データＧＤに基づく画像を用紙に印刷する場合に割り当てられるジョブの番号（ＪＯＢ  Ｎｏ.）および印字日時の情報が対応付けされて記憶されている。なお、画像形成装置１に設けられた図示しない給紙センサによって用紙が検出された日時を、上記の印字日時とすることができる。なお、固有情報ＫＪは、例えばジョブ番号と印字日時情報とを組み合わせた情報とすることができる。
【００４４】
画像形成部３４は、固有情報ＫＪに係る文字画像および画像データ記憶部３６に記憶されている画像データＧＤによって再現される画像を用紙に形成する。本実施形態において、画像を形成する用紙としてチケット用の特殊紙などを用いることができる。
【００４５】
ここで、印字中にジャム検出部３１によってジャムが検出された場合における図３の各構成部の動作について説明する。
【００４６】
再印刷決定部３２は、ジャム検出部３１によってジャムが検出されると、定着センサＴＳによる検出結果に基づいて、用紙の先端部に形成された固有情報ＫＪに係る画像が定着されたか否かを判断する。すなわち、用紙の先端部が定着センサＴＳを通過したか否かを判断する。この場合、定着センサＴＳによって用紙の端部が検出されてから、搬送速度等を考慮した所定時間が経過したか否かを判断することで、用紙の先端部が定着センサＴＳを通過したか否かが判断される。
【００４７】
そして、用紙の先端部が定着センサＴＳを通過していない場合、つまり、有効な画像が未だ転写されていない場合には、再印刷決定部３２は、ジャムが発生した用紙に形成されるべき画像を用紙に再度形成することを決定する。これは、１枚目の用紙には有効な画像が形成されていないので、チケットＴＫを再発行（再印刷）しても同じ２枚のチケットＴＫがユーザの手に渡ることがないためである。
【００４８】
ここで、再印刷決定部３２は、上述のように画像を再度形成することを決定しても、ユーザの意思を問うために、再発行するか否か（ジャム補正するか否か）について当該ユーザに要求する画面（後述）を操作パネル１０ｆの表示部に表示させる。
【００４９】
ユーザがチケットＴＫの再発行を選択した場合には、再印刷決定部３２は、一度形成された文字画像に係る固有情報ＫＪと同じである、固有情報記憶部３３に記憶されている固有情報ＫＪを消去する。その後、画像データに基づく画像および固有情報作成部３５によって新しく作成された（更新された）固有情報ＫＪに係る文字画像を用紙に印刷する再発行処理が行われる。一方、ユーザがチケットＴＫの再発行をしないことを選択した場合には、再印刷決定部３２は、上記と同じように固有情報ＫＪを消去する。
【００５０】
なお、再印刷決定部３２は、ジャム検出部３１によってジャムが検出されない場合には、排出センサＨＳによる検出結果に基づいて、用紙の搬送方向における後端が排出センサＨＳを通過したか否かを判断する。用紙の後端が排出センサＨＳを通過した場合には、再印刷決定部３２は、用紙に形成された文字画像に係る固有情報ＫＪと同じ固有情報ＫＪを固有情報記憶部３３から消去する。このように、印刷に一度用いられた固有情報ＫＪを消去することによって、同じ固有情報ＫＪを有するチケットＴＫが再び印刷されることが防止される。
【００５１】
これらに対して、ジャム検出部３１によってジャムが検出されて、用紙の先端部が定着センサＴＳを通過した場合には、再印刷決定部３２は、ジャムが発生した用紙に形成されるべき画像を用紙に再度形成しないことを決定する。そして、用いられた固有情報ＫＪが一旦保存され、画像データＧＤが当該固有情報ＫＪに対応付けられて保存される。この場合、ユーザは、固有情報ＫＪに係る文字画像は形成されているが、画像データに基づく画像が全部または部分的に形成されていないもの、または当該画像が形成されていても、ジャムの発生によって用紙が歪に変形して正常に使用することが困難であるチケットＴＫ（以下、「使用不可チケット」と称する）を取得することになる。
【００５２】
そこで、本実施形態では、ユーザは上記のような使用不可チケットを管理者に預ける。
管理者は、操作パネル１０ｆを用いて、当該管理者のみが知っている所定コード（例えば「*１２３４５」）を入力する。すると、画像形成装置１が管理者モードに設定される。
【００５３】
管理者モードにおいて、管理者は、使用不可チケットに備えられた固有情報ＫＪを入力する。すると、管理者によって入力された固有情報ＫＪと固有情報記憶部３３に記憶されている固有情報ＫＪとの照合処理が照合部３７によって実施される。両者が一致する場合には、再発行が許可されたとして、上で述べたように、画像データＧＤに基づく画像および一旦保存された固有情報ＫＪに係る文字画像が用紙に形成され印刷される。その後、固有情報ＫＪは消去される。
【００５４】
このように、本実施形態では、ユーザは上述の使用不可チケットを得ることになったとしても、管理者に依頼することによって正常なチケットＴＫを得ることが可能となる。
【００５５】
図６はチケットＴＫの再発行処理の流れの例を説明するフローチャート、図７は再発行するか否かについてユーザが選択するための表示部２１の表示例を示す図、図８は管理者によるチケットＴＫの再発行処理の流れの例を説明するフローチャートである。
【００５６】
図６に示すように、まず、給紙処理が開始される（＃１）。すると、固有情報ＫＪが作成され（＃２）、作成された固有情報ＫＪに係る文字画像が用紙の先端部に形成される（＃３）。
【００５７】
次に、ジャムが検出されたか否かが判別される（＃４）。ジャムが検出された場合には（＃４でＹｅｓ）、用紙の先端部が定着センサＴＳを通過したか否かが判別される（＃５）。用紙の先端部が定着センサＴＳを通過していない場合には（＃５でＮｏ）、図７に示すように、ジャム補正するか否か、すなわちチケットＴＫを再発行するか否かをユーザに選択させるための画面を表示部２１に表示させる。
【００５８】
再発行する場合には（＃６でＹｅｓ）、固有情報ＫＪが消去され（＃７）、上記の＃１〜＃６の処理が繰り返される。一方、再発行しない場合には（＃６でＮｏ）、固有情報ＫＪが消去され（＃８）、処理が終了する。
【００５９】
これに対して、ジャムが検出され（＃４でＹｅｓ）、用紙の先端部が定着センサＴＳを通過している場合には（＃５でＹｅｓ）、固有情報ＫＪおよび画像データＧＤが保存された後（＃９）、処理が終了する。
【００６０】
一方、ジャムが検出されない場合には（＃４でＮｏ）、用紙の後端が排出センサＨＳを通過した後（＃１０でＹｅｓ）、固有情報ＫＪが消去され（＃１１）、処理が終了する。
【００６１】
図８に示すように、管理者は、使用不可チケットをユーザから預かった後、所定の動作によって画像形成装置１を管理者モードに設定する（＃２１）。そして、管理者の認証が終了した後（＃２２）、固有情報ＫＪの入力画面が表示部２１に表示される（＃２３）。
【００６２】
管理者によって入力された固有情報ＫＪと固有情報記憶部３３に記憶されている固有情報ＫＪとが一致する場合には（＃２４でＹｅｓ）、当該固有情報ＫＪに対応付けされた画像データＧＤが取得され（＃２５）、当該画像データＧＤに基づく画像が用紙に再度印刷される（＃２６）。一方、管理者によって入力された固有情報ＫＪと固有情報記憶部３３に記憶されている固有情報ＫＪとが一致しない場合には（＃２４でＮｏ）、再印刷は行われない。
【００６３】
[本実施形態における効果]
従来では、ジャムが検出された場合で、排出センサＨＳによって用紙の後端が検出された場合にチケットＴＫの再発行を行わず、当該後端が検出されなかった場合にチケットＴＫの再発行を行っていた。その結果、チケットＴＫが使用可能な状態の有効な画像が用紙に転写されているにもかかわらず、排出センサＨＳによって当該用紙の後端が検出されない場合があったために、チケットＴＫの再発行を行うことになってしまっていた。そのため、使用可能な状態の同じ２枚のチケットＴＫがユーザの手に渡ることがあった。したがって、従来では、不正行為が行われることを惹起することとなっていた。
【００６４】
これに対して、本実施形態では、排出センサＨＳよりも上流側に定着センサＴＳを配し、固有情報ＫＪに係る画像が形成された用紙の先端部が、ジャム検出時に、定着センサＴＳによって検出されたか否かに基づいて、チケットＴＫの再発行の可否を決定する。
【００６５】
すなわち、定着ローラ１２ａの近傍に定着センサＴＳを設け、かつ、固有情報ＫＪを有する先端部が定着センサＴＳによって検出されたか否かを判断することによって、用紙の端部が定着ローラ１２ａを通過したあと従来よりも早い段階で再発行の可否を決定することが可能となる。これにより、再発行の可否を判断する際に、有効な画像が用紙に転写されている可能性が従来よりも低くなる。
【００６６】
ここで、本実施形態では、ジャム検出時に、用紙の先端部が定着センサＴＳによって検出されない場合には、有効な画像が用紙に形成されていない可能性が高いので、ユーザの意思に応じて再発行を行う。この場合、使用可能な状態の同じ２枚のチケットＴＫがユーザの手に渡ることはない。
【００６７】
一方、用紙の先端部が定着センサＴＳによって検出されたときには、有効な画像が用紙に形成されている場合や形成されていない場合もあるし、ジャムの発生によって用紙が歪に変形している場合もある。すなわち、この場合、ユーザは必ずしも正常なチケットＴＫを手に入れることはできない。
【００６８】
そこで、本実施形態では、固有情報ＫＪに係る画像が先端部に形成された用紙を管理者に預け、当該管理者によって上で述べたようにチケットＴＫの再発行を行う。これにより、ユーザは正常なチケットＴＫを確実に得ることができる。加えて、ユーザは管理者に上記用紙を預けるので、使用可能な状態の同じ２枚のチケットＴＫがユーザの手に渡ることはない。
【００６９】
以上により、ジャムが発生した場合でも、ユーザは正常なチケットＴＫを得ることができ、かつ、不正行為の惹起を防止することが可能となる。
【００７０】
また、用紙の後端領域に固有情報ＫＪを埋め込む場合には、ジャムの発生タイミングによっては、当該固有情報ＫＪを埋め込むことができない場合がある。本実施形態では、用紙の先端部に固有情報ＫＪを埋め込むので、ジャムが発生しても、固有情報ＫＪを有する用紙を確実に得ることができる。これにより、ユーザは、管理者に対して確実に再発行を依頼することが可能となる。
【００７１】
[他の実施形態]
上記実施形態では、用紙の片面に固有情報ＫＪに係る文字画像および画像データＧＤに基づく画像を形成する場合について説明した。
【００７２】
以下では、用紙の第１印字面（裏面）に固有情報ＫＪに係る文字画像を形成し、第２印字面（表面）に画像データＧＤに基づく画像を形成する場合について説明する。図９はチケットＴＫの再発行処理の流れの他の例を説明するフローチャートである。
【００７３】
図９に示すように、まず、固有情報ＫＪが作成される（＃３１）。そして、固有情報ＫＪに係る文字画像が用紙の第１印字面（裏面）の先端部に形成される（＃３２）。
【００７４】
次に、ジャムが検出された場合で（＃３３でＹｅｓ）、用紙が第１印字面（裏面）である場合に（＃３４でＹｅｓ）、用紙の先端部がＤＵＰセンサＤＳ１を通過したか否かが判別される（＃３５）。用紙の先端部がＤＵＰセンサＤＳ１を通過していない場合には（＃３５でＮｏ）、チケットＴＫの再発行を行うために、上で述べた実施形態と同じように、固有情報ＫＪが固有情報記憶部３３から消去され（＃３６）、＃３１〜＃３５の処理が繰り返される。
【００７５】
一方、用紙の先端部がＤＵＰセンサＤＳ１を通過している場合には（＃３５でＹｅｓ）、上で述べた実施形態と同じように、管理者モードによるチケットＴＫの再発行を行うために、固有情報ＫＪおよび画像データＧＤを保存し（＃３７）、処理が終了する。
【００７６】
これに対して、用紙が第１印字面（裏面）でない場合、すなわち、第２印字面（表面）である場合には（＃３４でＮｏ）、固有情報ＫＪに係る文字画像は既に形成されているので、上記の＃３７の処理を行う。
【００７７】
ジャムが検出されない場合には（＃３４でＮｏ）、用紙の第２印字面（表面）に画像データＧＤに基づく画像が印字済みか否かが判別される（＃３８）。印字済みである場合で（＃３８でＹｅｓ）、用紙の後端が排出センサＨＳを通過した後（＃３９でＹｅｓ）、固有情報ＫＪが消去され（＃４０）、処理が終了する。
【００７８】
このように、本例では、第２印字面（表面）への画像の形成中にジャムが検出された場合には、固有情報ＫＪに係る文字画像は第１印字面（裏面）に既に形成されているので、ジャムが発生した用紙に形成されるべき画像を新たな用紙に再度形成しないと決定する。そして、ユーザは、第１印字面（裏面）に固有情報ＫＪを有する用紙を用いて管理者に対して管理者モードによる再発行を依頼することができる。これにより、ユーザは正常なチケットＴＫを得ることが可能となる。
【００７９】
なお、上の実施形態で述べたのと同じように、＃３５の処理でＮｏと判別された後、再発行するか否かの選択をユーザに要求してもよい。
【００８０】
また、上記実施形態では、ジャムが検出されて、用紙の先端部が定着センサＴＳを通過したか否かによってチケットＴＫを再発行するか否かを決定することとしたが、用紙の先端部が排出センサＨＳを通過したか否かによって再発行するか否かを決定してもよい。
【００８１】
その他、画像形成装置１の全体または各部の構成、処理内容、処理順序等は、本発明の趣旨に沿って適宜変更することが可能であり、この場合にも上記の特有かつ格別の効果が奏される。
【図面の簡単な説明】
【００８２】
【図１】本発明の一実施形態に係る画像形成装置の概略の構成の例を示す図である。
【図２】画像形成装置のハードウェアの構成の例を示す図である。
【図３】画像形成装置の機能的構成の例を示す図である。
【図４】固有情報を有する複写物の一例であるチケットの例を示す図である。
【図５】固有情報記憶部に記憶される固有情報テーブルの例を示す図である。
【図６】チケットの再発行処理の流れの例を説明するフローチャートである。
【図７】再発行するか否かについてユーザが選択するための表示部の表示例を示す図である。
【図８】管理者によるチケットの再発行処理の流れの例を説明するフローチャートである。
【図９】チケットの再発行処理の流れの他の例を説明するフローチャートである。
【符号の説明】
【００８３】
１  画像形成装置
１２ａ  定着ローラ（定着手段）
１３  排出ローラ（排出手段）
２１  表示部（情報要求手段、選択要求手段）
３１  ジャム検出部（ジャム検出手段）
３２  再印刷決定部（決定手段）
３３  固有情報記憶部（固有情報記憶手段）
３４  画像形成部（画像形成手段、固有情報形成手段）
３５  固有情報作成部（固有情報形成手段）
３７  照合部（認証手段、照合手段）
ＧＤ  画像データ
ＨＳ  排出センサ（用紙検出手段）
ＫＪ  固有情報
ＴＳ  定着センサ（用紙検出手段）
【図１】
2009300534.tif 000003
【図２】
2009300534.tif 000004
【図３】
2009300534.tif 000005
【図４】
2009300534.tif 000006
【図５】
2009300534.tif 000007
【図６】
2009300534.tif 000008
【図７】
2009300534.tif 000009
【図８】
2009300534.tif 000010
【図９】
2009300534.tif 000011